(57)【要約】【課題】基板ケースが開放されると隠蔽不可能な痕跡が遊技盤に残り、この痕跡により基板ケースが不正に開放されたことを確実に発見可能なパチンコ遊技機の提供。【解決手段】パチンコ遊技機１は、基板７が、少なくとも当該基板を収納する部位を透明部材により形成されるケース部１４に収納されて、遊技盤２の裏面２ａに配設される。ケース部は、開閉可能な複数の分割体１８により構成されるとともに、複数の分割体を開き不能な状態として、当該ケース部を遊技盤の裏面側に取り付ける取付脚部３３を備える。遊技盤における取付脚部の取付部位３８には、ケース部が遊技盤から取り外されるとき復元不能に変化する痕跡表示部４０が設けられる。これにより、ケース部が遊技盤から取り外されたことの痕跡を、遊技盤に確実に残すことができる。【選択図】図７
2010187768.tif 000002
【特許請求の範囲】
【請求項１】
基板が、少なくとも当該基板を収納する部位を透明部材により形成されるケース部に収納されて、遊技盤の裏面に配設されるパチンコ遊技機において、
前記ケース部が、
開閉可能な複数の分割体により構成されるとともに、
前記複数の分割体を開き不能な状態として、当該ケース部を前記遊技盤の裏面側に取付可能な取付脚部を備え、
前記遊技盤における前記取付脚部の取付部位に、前記ケース部が前記遊技盤から取り外されるとき復元不能に変化する痕跡表示部が設けられていることを特徴とするパチンコ遊技機。
【請求項２】
前記痕跡表示部が、
前記取付脚部に連結される痕跡表示部材と、前記遊技盤の裏面側から前面側へ開口されて前記痕跡表示部材を挿通させ、前記遊技盤の前面側から前記痕跡表示部材を視認可能にする視認部と、を備え、
前記ケース部の前記遊技盤からの取り外し時に、前記視認部から視認される前記痕跡表示部材の状態を変化させるように構成されていることを特徴とする請求項１に記載のパチンコ遊技機。
【請求項３】
前記痕跡表示部材が、前記取付脚部に固着されるピン本体部と、前記ピン本体部に外れ可能に結合されかつ前記遊技盤に固定されるピン先端部と、を有し、
前記ケース部の前記遊技盤からの取り外し時に、前記ピン先端部が、前記ピン本体部に牽引されて塑性変形するとともに、前記ピン本体部から外れて前記遊技盤に残留することを特徴とする請求項２に記載のパチンコ遊技機。
【請求項４】
前記痕跡表示部が、前記遊技盤における前記視認部の周縁部に、前記痕跡表示部材の前記視認部からの抜け時、前記視認部を塞いで、前記痕跡表示部材の前記視認部への復帰を規制する復元規制部を、備えていることを特徴とする請求項２に記載のパチンコ遊技機。
【請求項５】
前記痕跡表示部材が、少なくとも、前記取付脚部との連結部位をせん断抵抗の高い金属製とされていることを特徴とする請求項２乃至請求項４のいずれか一項に記載のパチンコ遊技機。
【請求項６】
前記分割体が、前記遊技盤を裏面側から見たとき正面に現れる外側部材と、前記外側部材の遊技盤側に係合して取り付けられる内側部材と、を備えて構成され、
前記取付脚部が、前記外側部材と前記内側部材との係合部位を覆うように、前記外側部材から連なって延びていることを特徴とする請求項１乃至請求項５のいずれか一項に記載のパチンコ遊技機。
【請求項７】
前記ケース部が、当該パチンコ遊技機の裏面側の構成部品を覆う盤裏カバー部を備え、
前記取付脚部が、前記盤裏カバー部に形成され、
前記盤裏カバー部が、前記外側部材と前記内側部材との係合部位を覆うように、
前記外側部材に結合されていることを特徴とする請求項６に記載のパチンコ遊技機。
【請求項８】
前記ケース部の分割体が、アウターケース部と、前記アウターケース部に取り外し可能に取り付けられるインナーケース部と、を備えて構成され、
前記インナーケース部が、天板部と、前記天板部に取り付けられる底板部とを備えて、前記天板部と前記底板部により形成されるインナーケース部内部に基板を収納する構成とされ、
前記取付脚部が、前記アウターケース部に形成されて、
前記アウターケース部が、前記インナーケース部を覆うように、前記遊技盤に取り付けられていることを特徴とする請求項１乃至請求項５のいずれか一項に記載のパチンコ遊技機。
【請求項９】
前記アウターケース部が、当該パチンコ遊技機の裏面側の構成部品を覆う盤裏カバー部として構成され、前記取付脚部が、前記盤裏カバー部に形成されていることを特徴とする請求項８に記載のパチンコ遊技機。
【請求項１０】
前記基板が、実装面を前記遊技盤に対して略直交させて前記ケース部に収納され、
前記ケース部の少なくとも一部が、当該パチンコ遊技機の裏面側から後方へ突出する後方突出部を備えるとともに、前記後方突出部内に前記基板における少なくとも遊技盤から離れる後端側を収納させて、前記基板の実装面と裏面との両面を視認可能としていることを特徴とする請求項１乃至請求項９のいずれか一項に記載のパチンコ遊技機。
【発明の詳細な説明】
【技術分野】
【０００１】
本発明は、パチンコ遊技機、特に、基板ケースが不正に開放されたことの痕跡が残るパチンコ遊技機に関する。
【背景技術】
【０００２】
基板ケースが不正に開放されたことの痕跡が残るパチンコ遊技機としては、例えば、下記特許文献１に示すように、基板ケースの天板部（上ケース部）と底板部（下ケース部）とに跨るように封印シールが貼付され、基板ケースが開放されると封印シールが破断されて痕跡が残り、この痕跡により、基板ケースが不正に開放されたことを検出可能にするものが知られている。
【先行技術文献】
【特許文献】
【０００３】
【特許文献１】特開２００６−３２６２８１号公報
【発明の概要】
【発明が解決しようとする課題】
【０００４】
しかしながら、上記パチンコ遊技機では、基板ケース自体に不正開放の痕跡が残るものであるため、パチンコ遊技機に取り付けられている基板ケースと同じ基板ケースが別途用意され、開放されて痕跡の残った基板ケースを、痕跡のない基板ケースに取り替えられると、不正開放の痕跡が隠蔽されて、基板ケースが不正に開放されたことを発見できない場合があった。
【０００５】
本発明は、上記事情に鑑み、基板ケースが開放されると隠蔽不可能な痕跡が遊技盤に残り、この痕跡により基板ケースが不正に開放されたことを確実に発見可能とするパチンコ遊技機の提供を目的とする。
【課題を解決するための手段】
【０００６】
本発明のパチンコ遊技機は、基板が、少なくとも当該基板を収納する部位を透明部材により形成されるケース部に収納されて、遊技盤の裏面に配設されるパチンコ遊技機において、ケース部が、開閉可能な複数の分割体により構成されるとともに、複数の分割体を開き不能な状態として、当該ケース部を遊技盤の裏面側に取付可能な取付脚部を備え、遊技盤における取付脚部の取付部位に、ケース部が遊技盤から取り外されるとき復元不能に変化する痕跡表示部が設けられていることを特徴とする。
【０００７】
本発明によれば、ケース部が、このケース部を構成する複数の分割体を開き不能な状態として、取付脚部により遊技盤に取り付けられているため、ケース部を遊技盤から取り外さない限り、ケース部を開放することができない。そして、ケース部を開放するためにケース部が遊技盤から取り外された場合には、遊技盤に設けられた痕跡表示部が復元不能に変化するため、ケース部が遊技盤から取り外されたことの痕跡が残る。この痕跡は、従来のような比較的同じものを別途用意し易い基板ケースに残る痕跡とは異なり、別途同じものを用意することが難しく取り替え困難な遊技盤自体に残るものであるため、遊技盤が痕跡のないものと取り替えられて、痕跡を隠蔽されてしまうことがない。
【０００８】
よって、本発明によれば、不正に、基板が収納されたケース部を開放するために、ケース部を遊技盤から取り外した場合、遊技盤自体に隠蔽不能な痕跡が残るため、遊技盤に残った痕跡を確認することにより、不正行為を確実に発見することができる。また、このように不正行為を確実に発見可能とすることで、不正行為の実行を困難にし、これにより、不正行為の発生を抑止することができる。
【０００９】
また、本発明では、痕跡表示部が、取付脚部に連結される痕跡表示部材と、遊技盤の裏面側から前面側へ開口されて前記痕跡表示部材を挿通させ、遊技盤の前面側から痕跡表示部材を視認可能にする視認部と、を備え、ケース部の遊技盤からの取り外し時に、視認部から視認される痕跡表示部材の状態を変化させるよう構成することができる。
【００１０】
このような構成とすれば、ケース部を遊技盤から取り外すとき、ケース部の取付脚部に連結される痕跡表示部材が、遊技盤の視認部内を移動し、視認部から視認される痕跡表示部材の状態が変化するため、これをもって、ケース部が遊技盤から取り外されたことの痕跡となる。そして、この痕跡は、視認部により遊技盤の前面側から視認することができるため、不正行為がなされた否かを遊技盤の前面側から極めて容易に確認することができる。
【００１１】
また、本発明では、痕跡表示部材が、取付脚部に固着されるピン本体部と、ピン本体部に外れ可能に結合されかつ遊技盤に固定されるピン先端部と、を有し、ケース部の前記遊技盤からの取り外し時に、ピン先端部が、ピン本体部に牽引されて塑性変形するとともに、ピン本体部から外れて遊技盤に残留する構成とすることができる。
【００１２】
このような構成によれば、ケース部が遊技盤から取り外されるとき、ピン先端部が、ピン本体部に引っ張られて塑性変形した後、ピン本体部から外れて遊技盤に残留するため、塑性変形したピン先端部が、ケース部が遊技盤から取り外されたことの痕跡として遊技盤に残る。そして、このピン先端部の塑性変形による痕跡は、ピン先端部が塑性変形に伴って形状や色彩などを変化させ塑性変形前の状態に完全に復元され得ないことから、隠蔽不可能である。よって、ケース部が遊技盤から取り外されたことの痕跡を確実に残すことができる。
【００１３】
また、本発明では、痕跡表示部が、遊技盤における視認部の周縁部に、痕跡表示部材の視認部からの抜け時、視認部を塞いで、痕跡表示部材の視認部への復帰を規制する復元規制部を、備えている構成とすることができる。
【００１４】
このような構成によれば、ケース部が遊技盤から取り外され、痕跡表示部材が視認部から抜けると、痕跡表示部材が視認部から抜けている状態が遊技盤の前面側から確認されることとなり、これが、ケース部が遊技盤から取り外されたことの痕跡となる。そして、一度、痕跡表示部材が視認部から抜けると、視認部は復元規制部により塞がれるため、再度、痕跡表示部材を視認部に挿通して、痕跡表示部を変形前の状態に復元することは不可能となる。よって、ケース部が遊技盤から取り外されたことの痕跡を隠蔽することはできないため、ケース部が取り外されたことの痕跡を確実に残すことができる。
【００１５】
また、本発明では、痕跡表示部材が、少なくとも、取付脚部との連結部位をせん断抵抗の高い金属製とされている構成とすることができる。ここで、せん断抵抗とは、せん断荷重に対する抵抗力をいう。
【００１６】
このような構成とすれば、痕跡表示部材における取付脚部との連結部位は、せん断抵抗の高い金属製とされているため、カッター等で切断することが不可能となる。よって、遊技盤に痕跡が残らないように、痕跡表示部材における取付脚部との連結部位をカッター等により切断して痕跡表示部材を取付脚部から切り離した後で、ケース部を遊技盤から取り外す不正行為を防止することができる。
【００１７】
また、本発明では、分割体が、遊技盤を裏面側から見たとき正面に現れる外側部材と、外側部材の遊技盤側に係合して取り付けられる内側部材と、を備えて構成され、取付脚部が、外側部材と内側部材との係合部位を覆うように、外側部材から連なって延びている構成とすることができる。
【００１８】
このような構成によれば、外側部材と内側部材との係合部位が外側部材から伸びる取付脚部により覆われているため、取付脚部を遊技盤から取り外さない限り、外側部材と内側部材との係合を解除することができず、ケース部を開放することができない。そのため、ケース部が遊技盤から取り外されず、遊技盤に何らの痕跡も残らないまま、ケース部が開放されてしまうことを確実に防止することができる。
【００１９】
また、本発明では、ケース部が、当該パチンコ遊技機の裏面側の構成部品を覆う盤裏カバー部を備え、取付脚部が、盤裏カバー部に形成され、盤裏カバー部が、外側部材と内側部材との係合部位を覆うように、外側部材に結合されている構成とすることができる。
【００２０】
このような構成によれば、盤裏カバー部を、基板を収納するケース部の一部として形成できるため、パチンコ遊技機の裏面側の構造を簡便に構成することができる。また、取付脚部を盤裏カバー部に形成するため、盤裏カバー部の大きさの分だけ取付脚部を大きく形成でき、取付脚部と遊技盤との連結面積を大きくすることができる。したがって、遊技盤と取付脚部との取付部位に多数の痕跡表示部を設けることが可能となり、また、痕跡表示部の配設位置の自由度を増大させることができる。
【００２１】
また、本発明では、ケース部の分割体が、アウターケース部と、アウターケース部に取り外し可能に取り付けられるインナーケース部と、を備えて構成され、インナーケース部が、天板部と、天板部に取り付けられる底板部とを備えて、天板部と底板部により形成されるインナーケース部内部に基板を収納する構成とされ、取付脚部が、アウターケース部に形成されて、アウターケース部が、前記インナーケース部を覆うように、遊技盤に取り付けられている構成とすることができる。
【００２２】
このような構成によれば、基板を収納するインナーケース部をアウターケース部が覆うようにして遊技盤に取り付けられているため、ケース部を遊技盤から取り外さない限り、インナーケース部をアウターケース部から取り外して天板部と底板部とに分離させて開放することができない。そのため、ケース部が遊技盤から取り外されず、遊技盤に何らの痕跡も残らないまま、ケース部が開放されてしまうことを確実に防止することができる。
【００２３】
また、本発明では、アウターケース部が、当該パチンコ遊技機の裏面側の構成部品を覆う盤裏カバー部として構成され、取付脚部が、盤裏カバー部に形成されている構成とすることができる。
【００２４】
このような構成によれば、盤裏カバー部を、基板を収納するケース部の一部として形成できるため、パチンコ遊技機の裏面側の構造を簡便に構成することができる。また、取付脚部を盤裏カバー部に形成するため、盤裏カバー部の大きさの分だけ取付脚部を大きく形成でき、取付脚部と遊技盤との連結面積を大きくすることができる。したがって、遊技盤と取付脚部との取付部位に多数の痕跡表示部を設けることが可能となり、また、痕跡表示部の配設位置の自由度を増大させることができる。
【００２５】
また、本発明では、基板が、実装面を遊技盤に対して略直交させてケース部に収納され、ケース部の少なくとも一部が、当該パチンコ遊技機の裏面側から後方へ突出する後方突出部を備えるとともに、後方突出部内に基板における少なくとも遊技盤から離れる後端側を収納させて、基板の実装面と裏面との両面を視認可能としている構成とすることができる。
【００２６】
このような構成によれば、基板が、実装面を遊技盤に対して略直交させる向きで、後端側をパチンコ遊技機の後方へ突出させて、ケース部に収納されているため、何らケース部を動かすことなく、パチンコ遊技機の裏面側から、基板の実装面と裏面との両面を視認することができる。そのため、ケース部が遊技盤に取り付けられたそのままの状態で、基板に不正な改造がなされていないかどうかを容易に確認することができる。
【図面の簡単な説明】
【００２７】
【図１】本発明の第１実施形態のパチンコ遊技機を示す図であって、遊技盤の裏面側を示す斜視図である。
【図２】図１のＩＩ−ＩＩ部位の概略断面図であり、遊技盤とケース部を示す図である。
【図３】本発明の第１実施形態のパチンコ遊技機における遊技盤の前面側を示す正面図である。
【図４】本発明の第１実施形態のパチンコ遊技機を示す分解斜視図である。
【図５】図３のＶ−Ｖ部位の概略断面図であり、ケース部を遊技盤から取り外したときの、痕跡表示部の変化を示す図である。
【図６】図４のＶＩ−ＶＩ部位に対応する概略横断面図であり、ケース部を遊技盤から取り外したときの、痕跡表示部の変化を示す図である。
【図７】本発明の第１実施形態のパチンコ遊技機における遊技盤の要部拡大図であり、ケース部を遊技盤から取り外したときの、痕跡表示部の変化を示す正面図である。
【図８】本発明の第２実施形態のパチンコ遊技機における遊技盤の前面側を示す正面図である。
【図９】本発明の第２実施形態のパチンコ遊技機を示す分解斜視図である。
【図１０】図８のＸ−Ｘ部位の概略断面図であり、ケース部を遊技盤から取り外したときの、痕跡表示部の変化を示す図である。
【図１１】図９のＸＩ−ＸＩ部位に対応する概略横断面図であり、ケース部を遊技盤から取り外したときの、痕跡表示部の変化を示す図である。
【図１２】本発明の第２実施形態のパチンコ遊技機における遊技盤の要部拡大図であり、ケース部を遊技盤から取り外したときの、痕跡表示部の変化を示す正面図である。
【図１３】本発明の第３実施形態のパチンコ遊技機を示す図であって、遊技盤の裏面側を示す斜視図である。
【図１４】図１３のＸＩＶ−ＸＩＶ部位の概略断面図であり、遊技盤とケース部を示す図である。
【図１５】本発明の第４実施形態のパチンコ遊技機を示す図であって、（Ａ）は概略縦断面図であり、（Ｂ）は概略横断面図である。
【図１６】本発明に係るパチンコ遊技機の変更例を示す縦断面図である。
【図１７】本発明に係るパチンコ遊技機の他の変更例を示す図で、（Ａ）は概略縦断面図であり、（Ｂ）は概略横断面図である。
【発明を実施するための形態】
【００２８】
１．第１実施形態
図１は、第１実施形態のパチンコ遊技機１における遊技盤２の裏面２ａ側を示している。図１に示すように、実施形態のパチンコ遊技機１は遊技盤２を備え、遊技盤２の裏面２ａには、内部に主基板（遊技制御基板）７を収納したケース部１４が遊技盤２の裏面２ａを大きく覆って取り付けられている。なお、主基板７は、大当たり判定を行う判定手段を有して、利益に関わる制御を行うもので、主基板７には、図３図示の始動口９に入賞した遊技球を検知する始動口スイッチ、大入賞口１０に入賞した遊技球を検知する大入賞口スイッチ、大入賞口１０を開口させる大入賞口ソレノイドなどが接続される。
【００２９】
ケース部１４は、透明の合成樹脂材からなる透明部材１５により形成されており、主基板７を収納する基板収納部１６と、基板収納部１６から遊技盤２の裏面２ａを覆うように延びる盤裏カバー部３０とを備えて構成されている。盤裏カバー部３０の周縁部３０ａには、取付脚部３３が形成され、この取付脚部３３を利用して、ケース部１４は、遊技盤２の裏面２ａに取り付けられている。
【００３０】
基板収納部１６は、ケース部１４の中央下部に設けられ、図２に示すように、複数の分割体１８、すなわち、盤裏カバー部３０と一体で形成される外蓋部（外側部材に相当）１９と、外蓋部１９の遊技盤２側に取り付けられる内蓋部（内側部材に相当）２１とを備えて構成されている。内蓋部２１と外蓋部１９との取り付けは、外蓋部１９の被係合部２０に内蓋部２１の係合部２２を係合させることにより行う。
【００３１】
基板収納部１６は、図２に示すように、内蓋部２１を外蓋部１９に取り付けて内部に主基板７（図２において図示を省略する）を収納した状態で、基板収納部１６の右側部に設けられた封印部２４を利用して、開放不能に封印される。封印部２４は、外蓋部１９の右側部に配置されるカシメピン２５と、内蓋部２１の右側部に配設される受け孔２６とから構成され、カシメピン２５を受け孔２６に外れ不能に圧入することにより、基板収納部１６を開放不能に封印する。
【００３２】
なお、本明細書において、特に指定のない限り、図１に示すように、遊技盤２を裏面２ａ側から見た場合の上下左右を上下左右とし、遊技盤２の裏面２ａ側を後方、遊技盤２の遊技領域１１（図３参照）側を前方とする。
【００３３】
盤裏カバー部３０は、図１に示すように、略箱形状とされ、基板収納部１６の外蓋部１９の周縁１９ａから、遊技盤２の裏面２ａを略覆うように延設されて、パチンコ遊技機１の裏面２ａ側に配置される構成部品を覆っている。
【００３４】
パチンコ遊技機１の裏面２ａ側に配置される構成部品としては、例えば、画像表示装置１２（図３参照）や副基板（図示せず）などがあり、これらは、基板収納部１６の上方位置に配置されて、盤裏カバー部３０に設けられた盤裏カバー蓋３９に覆われている。なお、副基板は、演出制御基板に、画像制御基板及びランプ制御基板が接続されて構成されるもので、主に演出に関わる制御を行う。
【００３５】
盤裏カバー部３０の周縁部３０ａには、図１に示すように、ケース部１４を遊技盤２の裏面２ａに取り付ける取付脚部３３が形成される。取付脚部３３は、パチンコ遊技機１の構成部品を覆っている盤裏カバー部３０のカバー部本体３１から、左右両側へ平板状に延びて形成されており、カバー部本体３１の右端３１ａ側から延設される右側取付脚部３４と、カバー部本体３１の左端３１ｂ側から延設される左側取付脚部３５とから構成されている。そして、取付脚部３３は、右側取付脚部３４および左側取付脚部３５の上部に設けられた係止孔３６，３６を、遊技盤２裏面２ａの右上部および左上部に配設された係止突起３，３に嵌めるとともに、右側取付脚部３４および左側取付脚部３５の下方部を遊技盤２に対してねじ３７固定することにより、遊技盤２裏面２ａに取り付けられる。なお、ケース部１４が遊技盤２裏面２ａに取り付けられた状態では、外蓋部１９と内蓋部２１との係合部位２３は、図２に示すように、盤裏カバー部３０に覆われてパチンコ遊技機１の外側に露出しない。
【００３６】
図１，図３に示すように、遊技盤２の右下部（図３に示すように遊技盤２を前面２ｂ側から見た場合には左下部）には、ケース部１４が遊技盤２から取り外された場合に痕跡を表示する痕跡表示部４０が設けられている。
【００３７】
痕跡表示部４０は、図３，図４に示すように、遊技盤２の裏面２ａ側から前面２ｂ側にかけて開口された視認部４１と、この視認部４１に挿通される痕跡表示部材４５とを備えて構成されている。
【００３８】
視認部４１は、図３に示すように、遊技盤２に穿設された円形の挿通孔４２とされ、痕跡表示部材４５を挿通させて、遊技盤２の前面２ｂ側から痕跡表示部材４５の状態を視認可能としている。なお、視認部４１の遊技盤２前面２ｂ側には、図５のＡに示すように、透明の合成樹脂材により形成された透明板４３が配設されており、遊技盤２の前面２ｂ側から視認部４１内に粉塵等が侵入するのを防止している。
【００３９】
痕跡表示部材４５は、図４に示すように、視認部４１としての挿通孔４２に挿通されるピン部材４６と、ピン部材４６を右側取付脚部３４に連結させる連結用突起４８と、から構成されている。連結用突起４８は、せん断抵抗の高い鉄製とされて、ケース部１４の成形時、右側取付脚部３４の下部にインサートされて設けられている。ピン部材４６は、ピン部材４６のケース部１４側に設けられた連結用孔部４７に、連結用突起４８を外れ不能に圧入させることにより、ケース部１４の右側取付脚部３４に固着される。また、ピン部材４６は、例えば赤色などの目立つ色彩に着色されており、遊技盤２の前面２ｂ側から視認される場合に注意を引くよう構成されている。
【００４０】
さらに、痕跡表示部４０は、図４，図６に示すように、遊技盤２における視認部４１の周縁部４１ａに、痕跡表示部材４５が視認部４１から抜けると作動する復元規制部４９を備えている。復元規制部４９は、図６のＡに示すように、遊技盤２において、視認部４１としての挿通孔４２の軸方向に直交して穿設された収納孔部５０に、ストッパー部材５１を配置して構成されている。このストッパー部材５１の基端部５１ｂには、スプリング材５２の一端５２ａ側が固着され、スプリング材５２の他端５２ｂ側は、収納孔部５０のばね座５０ａに固定されている。ストッパー部材５１は、痕跡表示部材４５が視認部４１に挿通されている状態では、図６のＡに示すように、先端部５１ａを痕跡表示部材４５の左側の側面４５ａに当接させて、スプリング材５２を圧縮して収納孔部５０に収納されている。収納孔部５０から視認部４１を挟んで反対側には、ストッパー部材５１の先端部５１ａの形状に対応した形状の係合孔部５３が設けられている。この係合孔部５３には、図６のＢに示すように、痕跡表示部材４５が視認部４１から抜けたとき、スプリング材５２の復元力で突出したストッパー部材５１の先端部５１ａが抜け不能に係合する。
【００４１】
なお、本実施形態では、遊技盤２において痕跡表示部４０が形成される部位およびその周辺部位は、遊技盤本体部４とは別部材（以下「遊技盤痕跡部５」という）で構成され、遊技盤本体部４に接着されている。
【００４２】
次に、図５〜図７に基づいて、上述したパチンコ遊技機１において、ケース部１４が遊技盤２から取り外されたときの痕跡表示部４０の変化について説明する。まず、ケース部１４が遊技盤２に取り付けられているときには、パチンコ遊技機１は、図５のＡ、図６のＡ、図７のＡに示す状態にある。すなわち、図５のＡに示すように、ケース部１４の取付脚部３３に取り付けられた痕跡表示部材４５が、遊技盤２の視認部４１に挿通されており、図６のＡに示すように、ストッパー部材５１が、痕跡表示部材４５の側面４５ａに先端部５１ａを当接させてスプリング材５２を圧縮して収納孔部５０内に収納され、右方向への突出を規制されている。このとき、図７のＡに示すように、遊技盤２の前面２ｂ側からは、赤色に着色されたピン部材４６が、視認部４１によって視認される。
【００４３】
ケース部１４を遊技盤２から取り外すと、パチンコ遊技機１は、図５のＢ，図６のＢ，図７のＢに示す状態に変化する。すなわち、図５のＢに示すように、痕跡表示部材４５が視認部４１から抜けるため、ストッパー部材５１の突出規制が解除され、図６のＢに示すように、ストッパー部材５１が、スプリング材５２の復元力により突出して、先端部５１ａを係合孔部５３に係合させる。この係合状態では、先端部５１ａの係止鉤部５１ａａが、係合孔部５３の係止面５３ａに係止されるため、先端部５１ａは、係合孔部５３に対して抜け不能に保持される。このとき、遊技盤２の前面２ｂ側から視認される痕跡表示部４０の状態は、視認部４１から赤色のピン部材４６が視認されていた状態から、図７のＢに示すように、ピン部材４６が視認されず、係合孔部５３に係合しているストッパー部材５１が視認される状態に変化する。
【００４４】
この痕跡表示部４０の変化は、ケース部１４が遊技盤２から取り外されたことの痕跡となる。また、突出したストッパー部材５１により視認部４１が塞がれ、再度の痕跡表示部材４５の挿通が規制される。すなわち、痕跡表示部４０は、元の状態に復元され得ない。
【００４５】
以上説明したように、第１実施形態のパチンコ遊技機１は、遊技盤２における取付脚部３３の取付部位３８（図４，図５のＡ参照）に、ケース部１４を遊技盤２から取り外すときに復元不能に変化する痕跡表示部４０を設けているため、ケース部１４を遊技盤２から取り外し、基板収納部１６から主基板７を取り出して基板を不正に改造するなどの不正行為が行われた場合には、痕跡表示部４０が、ケース部１４を取り外す前の状態から変化する。この痕跡表示部４０の変化は、ケース部１４が取り外されたことの痕跡となるため、第１実施形態のパチンコ遊技機１では、痕跡表示部４０を確認することにより、不正が行われたか否かを確認することができる。
【００４６】
そして、この痕跡は、従来のような比較的同じものを別途用意し易い基板ケースに残る痕跡とは異なり、別途同じものを用意することが難しく取り替え困難な遊技盤２自体に残るものであるため、痕跡のないものと取り替えられて痕跡を隠蔽されてしまうことがない。よって、第１実施形態のパチンコ遊技機１では、痕跡表示部４０を確認することにより、不正行為を確実に発見することができる。
【００４７】
また、痕跡表示部４０は、視認部４１を有し、視認部４１に挿通される痕跡表示部材４５の状態を遊技盤２の前面２ｂ側から視認可能としているため、遊技盤２の前面２ｂ側から痕跡表示部材４５の状態を確認することにより、不正が行われたか否かを容易に確認することができる。
【００４８】
また、痕跡表示部４０が、視認部４１を塞ぐ復元規制部４９を備えているため、一度、ケース部１４が遊技盤２から取り外されると、再び、痕跡表示部材４５を視認部４１に挿通することができない。よって、第１実施形態のパチンコ遊技機１では、遊技盤２に残る痕跡を隠蔽することができないため、ケース部１４が遊技盤２から取り外された場合には、確実に痕跡を残すことができる。
【００４９】
また、痕跡表示部材４５は、取付脚部３３との連結部位５４（図４，図５のＡ参照）が、せん断抵抗の高い鉄製の連結用突起４８で構成されている。そのため、痕跡表示部材４５を取付脚部３３からカッターなどを用いて切断することはできない。よって、ケース部１４を遊技盤２から取り外しても遊技盤２に痕跡が残らないように、痕跡表示部材４５を取付脚部３３から切断してしまう行為を不可能にすることができる。
【００５０】
また、ケース部１４は、外蓋部１９と内蓋部２１とから形成される基盤収納部１６に主基板７を収納させて、外蓋部１９と内蓋部２１との係合部位２３を、外蓋部１９から延設されている盤裏カバー部３０が覆って、遊技盤２に取り付けられている。そのため、ケース部１４を遊技盤２に取り付けたままの状態では、基板収納部１６を開放することができないため、ケース部１４を遊技盤２に取り付けたまま基板収納部１６を開放して何らの痕跡も残さずに主基板７を不正に改造する行為を防止することができる。
【００５１】
また、第１実施形態のパチンコ遊技機１では、盤裏カバー部３０を、主基板７を収納しているケース部１４の一部として、外蓋部１９と一体で形成しているため、パチンコ遊技機１の裏面２ａ側の構成を簡便にすることができる。
【００５２】
また、第１実施形態のパチンコ遊技機１では、盤裏カバー部３０に取付脚部３３を形成しているため、取付脚部３３を大きく形成でき、遊技盤２における取付脚部３３の取付部位３８を大きくすることができる。そのため、遊技盤２と取付脚部３３との取付部位３８に多数の痕跡表示部４０を設けることが可能となり、また、痕跡表示部４０の配設位置の自由度を増大させることができる。これにより、遊技盤２に痕跡をわかりやすく表示することが可能となる。
【００５３】
また、第１実施形態のパチンコ遊技機１では、痕跡表示部４０が形成される遊技盤痕跡部５を、遊技盤本体部４と別体で形成しているため、遊技盤痕跡部５だけをコンパクトに製造でき、本パチンコ遊技機１の製造に際して、痕跡表示部４０の形成が容易になる。
【００５４】
また、第１実施形態のパチンコ遊技機１では、主基板７は、ケース部１４の基板収納部１６に収納されて封印部２４により封印されているうえで、さらに、ケース部１４と遊技盤２との取付部位３８に痕跡表示部４０を形成して痕跡を残す構成とされている。そのため、ケース部１４を遊技盤２から取り外すときに遊技盤２に痕跡が残るうえ、さらに、ケース部１４の基板収納部１６を開放する際にも、封印部２４に痕跡が残る。よって、本パチンコ遊技機１では、主基板７を改造しようとする不正行為に対して、２段階の痕跡表示手段を備えているため、不正行為を一層困難なものにするとともに、不正行為の意欲を低下させ、不正行為の発生自体を抑制できる。
【００５５】
２．第２実施形態
次に、図８から図１２に基づいて、第２実施形態のパチンコ遊技機１Ａについて説明する。上述した第１実施形態のパチンコ遊技機１では、痕跡表示部材４５が、赤色に着色されたピン部材４６を有し、ケース部１４が遊技盤２から取り外されると、遊技盤２の前面２ｂ側から視認されていた赤色のピン部材４６が視認されなくなることにより、ケース部１４が取り外されたことの痕跡とする構成としたが、第２実施形態のパチンコ遊技機１Ａでは、図１０に示すように、痕跡表示部材５５が、取付脚部３３に固着されるピン本体部５７と、ピン本体部５７に外れ可能に結合されかつ遊技盤２に固定されるピン先端部６１とを有し、ケース部１４が遊技盤２から取り外されると、ピン先端部６１が、ピン本体部５７に牽引されて塑性変形するとともに、遊技盤２に残留するよう構成されている。なお、第２実施形態のパチンコ遊技機１Ａにおいて、第１実施形態のパチンコ遊技機１と同様の構成については、第１実施形態のパチンコ遊技機１と同様の符号を付して説明を省略する。
【００５６】
図８，図９に示すように、第２実施形態のパチンコ遊技機１Ａは、第１実施形態のパチンコ遊技機１と同様、遊技盤２の右下部（図８に示すように遊技盤２を前面から見た場合には左下部）に、ケース部１４が遊技盤２から取り外された場合に痕跡を表示する痕跡表示部４０Ａが設けられている。なお、第２実施形態では、痕跡表示部４０Ａ以外は第１実施形態と同様に構成されている。
【００５７】
痕跡表示部４０Ａは、図８，図９に示すように、遊技盤２の裏面２ａ側から前面２ｂ側にかけて開口された視認部４１Ａと、この視認部４１Ａに挿通される痕跡表示部材５５とを備えて構成されている。
【００５８】
視認部４１Ａは、図８，図９に示すように、遊技盤２に穿設された長方形状の挿通孔４２Ａとして構成され、痕跡表示部材５５を挿通させて、遊技盤２の前面２ｂ側から痕跡表示部材５５の状態を視認可能としている。
【００５９】
痕跡表示部材５５は、図９に示すように、遊技盤２の前面２ｂ側から視認部４１Ａに挿通されるピン先端部６１と、遊技盤２の裏面２ａ側から視認部４１Ａに挿通されてピン先端部６１に外れ可能に結合されるピン本体部５７と、ピン本体部５７を右下取付脚部３４に連結させる２つの連結用突起５６，５６と、から構成されている。
【００６０】
２つの連結用突起５６，５６は、せん断抵抗の高い鉄製とされて、ケース部１４の成形時、右側取付脚部３３の下部にインサートされて設けられている。
【００６１】
ピン本体部５７は、略直方体形状の部材から形成され、取付脚部３３側に２つの連結用孔部５８を有し、この連結用孔部５８に連結用突起５６を圧入させて、右側取付脚部３３の下部に外れ不能に固着される。また、ピン本体部５７は、前方側に後述するピン先端部６１の結合凸部６３と結合する結合凹部５９を有している。
【００６２】
ピン先端部６１は、塑性変形時に白色に変色可能なポリアセタール等の硬質の合成樹脂材により形成されており、実施形態では、黒色の合成樹脂材製とされている。また、ピン先端部６１は、遊技盤２の前面２ｂ側に現れる板状部６２と、この板状部６２の略中央部６２ａから後方側へ突出してピン本体部５７の結合凹部５９と結合する結合凸部６３とを有している。
【００６３】
板状部６２は、図９，図１０のＡに示すように、遊技盤２の右下部の前面２ｂ側に配置され、遊技盤２の前面２ｂと、透明の合成樹脂材により形成された透明板６５に挟まれている。これにより、ピン先端部６１は、遊技盤２の右下部に固定される。
【００６４】
結合凸部６３は、板状部６２の略中央部６２ａから後方へ延設され、遊技盤２の前面２ｂ側から視認部４１Ａ内に挿通されている。結合凸部６３の形状は、結合凹部５９の形状に対応して形成されており、結合凹部５９に外れ可能に結合される。具体的には、結合凸部６３は、係止鉤部６３ａを有した後方を指す矢印のような形状とされ、結合凹部５９との結合時、結合凹部５９の係止面５９ａが係止鉤部６３ａに係止される。なお、ピン本体部を強く引っ張れば、結合凸部と結合凹部の係止は解除される。また、後述するように、結合凸部６３が延設される板状部６２の中央部６２ａは、ケース部１４を遊技盤２から取り外す際に変化する変化部とされている。
【００６５】
なお、第２実施形態のパチンコ遊技機１Ａについても、第１実施形態のパチンコ遊技機１と同様、遊技盤２において痕跡表示部４０Ａが形成される部位およびその周辺部位は、遊技盤本体部４とは別部材の遊技盤痕跡部５Ａとされ、遊技盤本体部４に接着されている。
【００６６】
次に、図１０〜図１２に基づいて、第２実施形態のパチンコ遊技機１Ａにおいて、ケース部１４が遊技盤２から取り外されたときの痕跡表示部４０Ａの変形について説明する。まず、ケース部１４が遊技盤２に取り付けられているときには、パチンコ遊技機１Ａは、図１０のＡ、図１１のＡ、図１２のＡに示す状態にある。すなわち、図１０のＡおよび図１１のＡに示すように、ケース部１４の取付脚部３３に取り付けられた痕跡表示部材５５が、遊技盤２の視認部４１Ａに挿通されている状態、つまり、ピン本体部５７が遊技盤２裏面２ａ側から視認部４１Ａに挿通され、ピン本体部５７の結合凹部５９に、遊技盤２に固定されたピン先端部６１の結合凸部６３が結合している状態にある。このとき、図１２のＡに示すように、遊技盤２の前面２ｂ側からは、透明板６５を介して、黒色の合成樹脂で形成されたピン先端部６１の板状部６２が視認される。
【００６７】
ケース部１４を遊技盤２から取り外すと、パチンコ遊技機１Ａは、図１０のＢ，図１１のＢに示す状態を経て、図１０のＣ，図１１のＣ，図１２のＢに示す状態に変化する。すなわち、ケース部１４を遊技盤２から取り外すためにケース部１４を後方へ移動させると、図１０のＢ，図１１のＢに示すように、痕跡表示部材５５のピン本体部５７は、ケース部１４側に固着されているため、視認部４１Ａから抜けるように後方へ移動し、痕跡表示部材５５のピン先端部６１は、ピン本体部５７と結合しているため、ピン本体部５７により後方へ牽引される。このとき、ピン本体部５７と結合している板状部６２の中央部６２ａは、ピン本体部５７により後方へ牽引されることにより、遊技盤２前面２ｂ側から視認部４１Ａ内に向かって後方へ湾曲するよう形状を塑性変形させる。さらに、ピン先端部６１は、黒色の合成樹脂で形成されているため、板状部６２の中央部６２ａは、ピン本体部５７に牽引されて形状を塑性変形させる際に、白色に変色する。
【００６８】
さらに、ケース部１４を後方へ移動させていけば、図１０のＣ，図１１のＣに示すように、ピン先端部６１は、遊技盤２側に固定されているため、結合凸部６３の係止鉤部６３ａがピン本体部５７における結合凹部５９の係止面５９ａから外れて、ピン本体部５７と分離して、遊技盤２に残留する。
【００６９】
このように、ケース部１４を遊技盤２から取り外すと、遊技盤２の前面２ｂ側から視認される痕跡表示部４０Ａの状態は、視認部４１Ａから黒色の板状部６２が視認されていた状態から、図１２のＢに示すように、後方へ湾曲するよう塑性変形して白色に変色した板状部６２が視認される状態に変化する。
【００７０】
この痕跡表示部４０Ａの変化は、ケース部１４が遊技盤２から取り外されたことの痕跡となる。また、一度塑性変形したピン先端部６１が、元の状態に復元することはないため、変化した痕跡表示部４０Ａが、元の状態に復元することない。
【００７１】
以上説明したように、第２実施形態のパチンコ遊技機１Ａは、取付脚部３３に固着されるピン本体部５７と、ピン本体部５７に外れ可能に結合されかつ遊技盤２に固定されるピン先端部６１とを有しているため、ケース部１４を遊技盤２から取り外すとき、ピン先端部６１が、ピン本体部５７に牽引されて後方へ湾曲するとともに、白色に変色して、遊技盤２に残留する。そのため、遊技盤２の前面２ｂ側から視認されるピン先端部６１の状態が、ケース部１４を取り外す前の黒色平板状から、湾曲して白化した状態に変化するため、変化したピン先端部６１を確認することにより、不正が行われたか否かを容易に判断することができる。
【００７２】
また、この痕跡は、ピン先端部６１の塑性変形による痕跡であるため、一度痕跡が残ってしまうと隠蔽することができない。そのため、第２実施形態のパチンコ遊技機１Ａでは、ケース部１４が遊技盤２から取り外された場合には、確実に痕跡を残すことができる。
【００７３】
３．第３実施形態
次に、図１３，図１４に基づいて、第３実施形態のパチンコ遊技機１Ｂについて説明する。上述した第１実施形態のパチンコ遊技機１では、基板収納部１６の外蓋部１９が盤裏カバー部３０と一体で形成される構成としたが、第３実施形態のパチンコ遊技機１Ｂでは、図１３に示すように、ケース部７０が、内部に主基板７を収納するインナーケース部７１と、盤裏カバー部８１としてのアウターケース部８０とを備え、アウターケース部８０がインナーケース部７１を覆って遊技盤２に取り付けられる構成とされている。なお、第３実施形態のパチンコ遊技機１Ｂにおいて、第１実施形態のパチンコ遊技機１と同様の構成については、第１実施形態のパチンコ遊技機１と同様の符号を付して説明を省略する。
【００７４】
図１３，図１４に示すように、第３実施形態のパチンコ遊技機１Ｂは、第１実施形態のパチンコ遊技機１と同様、遊技盤２を備え、遊技盤２の裏面２ａには、内部に主基板７を収納したケース部７０が取り付けられている。
【００７５】
ケース部７０は、透明の合成樹脂材により形成されており、主基板７を収納するインナーケース部７１と、遊技盤２側にインナーケース部７１が取り付けられるアウターケース部８０とを備える。
【００７６】
インナーケース部７１は、図１４に示すように、天板部７２に底板部７４を係合させて、インナーケース部７１内部に主基板７（図１４において図示を省略する）を収納している。天板部７２と底板部７４との取り付けは、天板部７２の被係合部７３に底板部７４の係合部７５を係合させることにより行う。天板部７２と底板部７４は、第１実施形態同様、封印部７６においてカシメピン７７を受け孔７８に圧入させることにより、封印される。
【００７７】
アウターケース部８０は、パチンコ遊技機１Ｂの裏面側の構成部品を覆う盤裏カバー部８１として構成されており、この盤裏カバー部８１の周縁部８１ａには、第１実施形態同様、取付脚部８２が形成されている。この取付脚部８２を利用して、ケース部７０は遊技盤２の裏面２ａに取り付けられる。ケース部７０が遊技盤２裏面２ａに取り付けられた状態では、図１４に示すように、インナーケース部７１は、盤裏カバー部８１に覆われてパチンコ遊技機１Ｂの外側に露出しない。
【００７８】
また、盤裏カバー部８１の遊技盤２側の下部には、図１３に示すように、インナーケース部７１を取り付けるための取付片８３が、インナーケース部７１の形状に合わせて設けられている。インナーケース部７１は、この取付片８３，８３，８３，８３に角部７９，７９，７９，７９を嵌合させて、盤裏カバー部８１に固定されている。
【００７９】
なお、第３実施形態のパチンコ遊技機１Ｂにおいても、遊技盤２の右下部には、第１実施形態同様に構成された痕跡表示部４０が設けられており、ケース部７０が遊技盤２から取り外されると、遊技盤２に痕跡が残るよう構成されている。
【００８０】
以上説明したように、第３実施形態のパチンコ遊技機１Ｂでは、主基板７が収納されているインナーケース部７１が、盤裏カバー部８１（アウターケース部８０）に覆われて遊技盤２に取り付けられているため、遊技盤２から盤裏カバー部８１を取り外さない限り、インナーケース部７１を開いて、主基板７を改造することはできない。そのため、盤裏カバー部８１を遊技盤２に取り付けたままインナーケース部７１を開放して何らの痕跡も残さずに主基板７を不正に改造する行為を防止することができる。
【００８１】
また、インナーケース部７１を覆うアウターケース部８０を盤裏カバー部８１としているため、アウターケース部８０とは別に、盤裏カバー部８１を設ける必要がないため、パチンコ遊技機１Ｂの裏面側の構成を簡便にすることができる。
【００８２】
また、盤裏カバー部８１に取付脚部８２を形成しているため、取付脚部８２を大きく形成でき、遊技盤２における取付脚部８２の取付部位８４（図１３参照）を大きくすることができる。そのため、遊技盤２における取付脚部８２の取付部位８４に多数の痕跡表示部４０を設けることが可能となり、また、痕跡表示部４０の配設位置の自由度を増大させることができる。これにより、遊技盤２に痕跡をわかりやすく表示することが可能となる。
【００８３】
また、盤裏カバー部８１の遊技盤２側にインナーケース部７１を取り付ける構成としているため、インナーケース部７１として既存の基板ケースを使用して、本発明に係る遊技盤に痕跡を残すパチンコ遊技機を製造することができる。
【００８４】
４．第４実施形態
次に、図１５に基づいて、第４実施形態のパチンコ遊技機１Ｃについて説明する。上述した第３実施形態のパチンコ遊技機１Ｂでは、図１３に示すように、主基板７が、実装面７ａを遊技盤２に対して平行にしてインナーケース部７１に収納される構成としたが、第４実施形態のパチンコ遊技機１Ｃでは、図１５のＡに示すように、主基板７が、実装面７ａを遊技盤２に対して略直交させてインナーケース部８６に収納される構成としている。なお、第４実施形態のパチンコ遊技機１Ｃにおいて、第３実施形態のパチンコ遊技機１Ｂと同様の構成については、第３実施形態のパチンコ遊技機１Ｂと同様の符号を付して説明を省略する。
【００８５】
図１５のＡに示すように、第４実施形態のパチンコ遊技機１Ｃは、第３実施形態のパチンコ遊技機１Ｂと同様、遊技盤２を備え、遊技盤２の裏面２ａには、内部に主基板７を収納したケース部８５が取り付けられている。ケース部８５は、透明の合成樹脂材により形成されており、主基板７を収納するインナーケース部８６と、遊技盤２側にインナーケース部８６が取り付けられるアウターケース部９０とを備える。
【００８６】
インナーケース部８６は、第３実施形態のインナーケース部７１と同様に構成され、主基板７の実装面７ａ側を覆う天板部８７に、主基盤７の裏面７ｂ側を覆う底板部８８を係合させて、インナーケース部８６内部に主基板７を収納している。
【００８７】
アウターケース部９０は、パチンコ遊技機１Ｃの裏面側の構成部品を覆う盤裏カバー部９１として構成されており、盤裏カバー部９１の周縁部９１ａには、図１５のＢに示すように、取付脚部９２が形成されている。この取付脚部９２を利用して、ケース部８５は遊技盤２の裏面２ａに取り付けられる。なお、ケース部８５が遊技盤２裏面２ａに取り付けられた状態では、インナーケース部８６は、盤裏カバー部９１に覆われてパチンコ遊技機１Ｃの外側に露出しない。
【００８８】
また、盤裏カバー部９１は、図１５のＡに示すように、中央下部に、他の一般部９５よりも後方側へ突出した後方突出部９４を備えている。後方突出部９４は、インナーケース部８６を取り付ける部位となるもので、インナーケース部８６は、内部に収納された主基板７の実装面７ａを遊技盤２に対して略直交させる向きで、後方突出部９４の上壁部９４ａと下壁部９４ｂとに挟まれて、盤裏カバー部９１の遊技盤２側に固定される。これにより、インナーケース部８６に収納された主基板７の遊技盤２から離れる後端７ｃ側は、盤裏カバー部９１の一般部９５よりも後方へ突出する。なお、実施形態では、後方突出部９４は、前後方向の長さ寸法Ｌ１を、インナーケース部８６の短手方向の長さ寸法Ｌ２の略１／２程度とし、上下方向の高さ寸法Ｈ１を、インナーケース部８６の上下方向の高さ寸法Ｈ２と略同一として、インナーケース部８６の後方側を略１／２程度収納している。
【００８９】
なお、第４実施形態のパチンコ遊技機１Ｃにおいても、遊技盤２の右下部には、第３実施形態のパチンコ遊技機１Ｂ同様に構成された痕跡表示部４０が設けられており、ケース部８５が遊技盤２から取り外されると、遊技盤２に痕跡が残るよう構成されている。
【００９０】
以上説明したように、第４実施形態のパチンコ遊技機１Ｃでは、インナーケース部８６が、内部に収納された主基板７の実装面７ａを遊技盤２に対して略直交させる向きで、後方側の略１／２程度を、盤裏カバー部９１の後方突出部９４に収納させて、盤裏カバー部９１の遊技盤２側に取り付けられているため、パチンコ遊技機１Ｃの裏面側を、図１５のＡに示す矢印ａのような角度で視認すれば、何らケース部８５を動かすことなく、主基板７の実装面７ａ全体を視認でき、図１５のＡに示す矢印ｂのような角度で視認すれば、何らケース部８５を動かすことなく、主基板７の裏面７ｂ全体を視認することができる。そのため、ケース部８５が遊技盤２に取り付けられたままの状態で、主基板７に不正な改造がなされていないかどうかを容易に確認することができる。
【００９１】
５．変更例
以上、本発明の実施形態について説明したが、本発明の実施にあたっては、上記実施形態に限定されるものではなく、特許請求の範囲を逸脱しない限りにおいて種々の構成を採り得る。
【００９２】
例えば、第４実施形態のパチンコ遊技機１Ｃでは、ケース部８５は、インナーケース部８６が、盤裏カバー部９１（アウターケース部９０）の遊技盤２側に取り付けられて、盤裏カバー部９１に覆われて遊技盤２に取り付けられる構成としたが、図１６に示すように、ケース部９６が、外蓋部９７と内蓋部９８とからなる基板収納部９９と、外蓋部９７から延設される盤裏カバー部１００とを備えて、基板収納部９９に、主基板７が実装面７ａを遊技盤２に対して略直交させて収納される構成としてもよい。この場合、図１６に示すように、基板収納部９９の後方側を後方突出部１０１として構成し、前方側を開口させる断面コ字状の外蓋部９７の内部空間Ｓに、実装面７ａを遊技盤２に対して略直交させる向きで主基板７を収納した後、外蓋部９７の開口を覆うように内蓋部９８を外蓋部９７に係合させて、基板収納部９９を閉塞させる。このような構成とすれば、基盤収納部９９の外蓋部９７と、盤裏カバー部１００を一体で形成できるため、パチンコ遊技機の構成部品点数を減少させることができ、パチンコ遊技機の裏面側を簡便な構成にすることができる。
【００９３】
また、第４実施形態のパチンコ遊技機１Ｃでは、主基板７が、長手方向を遊技盤の左右方向に対して平行になるように、実装面７ａを遊技盤２に対して略直交させてケース部７０に収納される構成とした（図１５のＢ参照）が、図１７のＡに示すように、主基板７が、長手方向を遊技盤２の上下方向に対して平行になるように、実装面７ａを遊技盤２に対して略直交させてケース部１０３に収納される構成としてもよい。すなわち、ケース部１０３において、基盤収納部１０４を上下方向に長い長方形状に形成して、内部に主基板７を収納する。このような構成とすれば、パチンコ遊技機の裏面側を、図１７のＢに示す矢印ａのような角度で視認すれば、何らケース部１０３を動かすことなく、主基板７の実装面７ａ全体を視認でき、図１７のＢに示す矢印ｂのような角度で視認すれば、何らケース部１０３を動かすことなく、主基板７の裏面７ｂ全体を視認することができる。そのため、ケース部１０３が遊技盤２に取り付けられたままの状態で、主基板７に不正な改造がなされていないかどうかを容易に確認することができる。
【００９４】
また、第１実施形態のパチンコ遊技機１では、基盤収納部１８における外蓋部１９と内蓋部２１との係合部位２３を、盤裏カバー部３０が覆って、ケース部１４が遊技盤２に取り付けられる構成としたが、ケース部が、盤裏カバー部を備えない構成として、基板収納部の外蓋部の周縁から、外蓋部と内蓋部との係合部位を覆うように、取付脚部を延設させて、遊技盤の裏面側に取り付けられる構成としてもよい。
【００９５】
また、痕跡表示部４０は、第１実施形態のパチンコ遊技機１では、視認部４１からピン部材４６が抜けて変化する構成とし（図７参照）、第２実施形態のパチンコ遊技機１Ａでは、黒色のピン先端部６１が牽引されて塑性変形するとともに白色に変色する構成（図１２参照）としたが、その他の痕跡表示部として、文字や模様が描かれたピン先端部に、ピン本体部を外れ可能に結合させ、ケース部を遊技盤から取り外すとき、ピン本体部が、ピン先端部を牽引して、ピン先端部に描かれた文字や模様がしわになるよう構成することができる。この場合、しわになった文字や模様が、ケース部が遊技盤から取り外されたことの痕跡となる。
【００９６】
また、第１実施形態のパチンコ遊技機１では、復元規制部４９は、ストッパー部材５１の先端部５１ａに係止鉤部５１ａａを設け、係合孔部５３との係合時、係止鉤部５１ａａが係合孔部５３の係止面５３ａに係止されて、ストッパー部材５１を係合孔部５３から抜け不能とする構成としたが、ストッパー部材の先端部に係止鉤部を設けなくとも、単に直方体のストッパー部材をスプリング材により突出させて視認部４１を塞ぐ構成としてもよい。
【００９７】
また、第２実施形態のパチンコ遊技機１Ａでは、ピン先端部６１が、後方を指す矢印形状の結合凸部６３を有し、結合凸部６３をピン本体部５７の結合凹部５９に結合させて、ケース部１４を遊技盤２から取り外すときに結合凸部６３が結合凹部５７から外れる構成としたが、ピン先端部の結合凸部の形状は、後方を指す矢印形状に構成せず、左右両側に係止部を突出させるＴ字形状に構成してもよい。この場合、ピン先端部のＴ字形状の結合凸部を、対応するピン本体部の結合凹部と結合させておき、ケース部を遊技盤から取り外すときに、ピン本体部に強く引っ張られることにより結合凸部の係止部が破壊されて、ピン先端部とピン本体部との結合が解除されるよう構成する。
【００９８】
また、第１実施形態のパチンコ遊技機１では、前面２ｂ側から見て遊技盤２における遊技領域１１の外側に、痕跡表示部４０を設ける構成とした（図３参照）が、痕跡表示部は、遊技盤２における取付脚部３３の取付部位３８であれば、前面２ｂ側から見て痕跡が目立つように、遊技領域１１内に配設してもよい。
【００９９】
また、実施形態では、視認部４１の遊技盤２前面２ｂ側には、透明板４３を配設したが、視認部４１の遊技盤２前面２ｂ側は、透明板４３を設けず単なる窓部として構成してもよい。
【０１００】
また、実施形態では、遊技盤２において痕跡表示部４０を形成する部位を、遊技盤痕跡部５として遊技盤本体部４とは別体で構成したが、遊技盤痕跡部５を遊技盤本体部４と別体とせず、１つの部材からなる遊技盤に痕跡表示部を形成してもよい。
【符号の説明】
【０１０１】
１，１Ａ，１Ｂ，１Ｃ    パチンコ遊技機
２    遊技盤
２ａ    裏面
７    主基板（基板）
７ａ    実装面
７ｃ    後端
１４，７０，８５    ケース部
１８    分割体
１９    外蓋部（外側部材）
２１    内蓋部（内側部材）
２３    係合部位
３０，８１，９１    盤裏カバー部
３３，８２，９２    取付脚部
３８，８４    取付部位
４０，４０Ａ    痕跡表示部
４１，４１Ａ    視認部
４１ａ    周縁部
４５    痕跡表示部材
４９    復元規制部
５４    連結部位
５７    ピン本体部
６１    ピン先端部
７１，８６    インナーケース部
７２，８７    天板部
７４，８８    底板部
８０，９０    アウターケース部
９４    後方突出部
【図１】
2010187768.tif 000003
【図２】
2010187768.tif 000004
【図３】
2010187768.tif 000005
【図４】
2010187768.tif 000006
【図５】
2010187768.tif 000007
【図６】
2010187768.tif 000008
【図７】
2010187768.tif 000009
【図８】
2010187768.tif 000010
【図９】
2010187768.tif 000011
【図１０】
2010187768.tif 000012
【図１１】
2010187768.tif 000013
【図１２】
2010187768.tif 000014
【図１３】
2010187768.tif 000015
【図１４】
2010187768.tif 000016
【図１５】
2010187768.tif 000017
【図１６】
2010187768.tif 000018
【図１７】
2010187768.tif 000019